(57)【特許請求の範囲】
【請求項１】
それぞれコンクリート躯体である、第１の床と、第１の壁と、第１の天井とを備えて構成される第１の構造と
前記第１の構造内に構築される第２の構造であって、前記第１の床上に防振部材を介して打設される浮床コンクリートである第２の床と、前記第１の壁内に構築される第２の壁と、前記第１の天井下に構築される第２の天井とを有して構成され、前記第２の壁は前記第１の壁から切り離され、前記第２の床と前記第２の天井との間に該第２の床と該第２の天井とに挟まれるように設置されている、第２の構造と、
前記第２の構造内に構築される第３の構造であって、前記第２の床上に前記第２の壁から切り離して前記第２の壁との間に空間を設けて浮床状に構築される第３の床を有して構成され、該第３の床には制振装置が設けられている、第３の構造と
を備え、
前記第２の床、前記第１の壁、前記第２の壁及び前記第２の天井により区画形成される空間と、前記第１の床と前記第２の床との間に区画形成される空間とをつなげるように、前記第２の床は、前記第１の壁との間に部分的に隙間を有する、
集合住宅の防音構造。
【請求項２】
前記第２の天井は、防振部材を介して前記第１の天井につなげられている、
請求項１に記載の集合住宅の防音構造。
【請求項３】
全ての住戸が、請求項１又は請求項２に記載された集合住宅の防音構造を備える、集合住宅。
【発明の詳細な説明】
【技術分野】
【０００１】
本発明は、バンド演奏、激しいダンス、スポーツなどを可能とする集合住宅の防音構造に関する。
【背景技術】
【０００２】
従来から、集合住宅において楽器演奏を可能とした二重構造の防音マンションが存在している。二重構造の防音マンションの防音性能は遮音等級Ｄｒ−６０〜Ｄｒ−７０程度であり、ピアノやギター、木管楽器の演奏（１００ｄＢ以下の演奏音）は可能であった。
【０００３】
例えば、特許文献１に記載された防音室構造は、床スラブの上面に防音機能を有する筒状の外側壁を構築し、外側壁の内側に位置するように、床スラブの上面にクッション材を介して遮音ボックスを構築する。そして、遮音ボックスの天井と上階層スラブとの間に遮音ボックスの主として縦方向の振動を吸収するための吸振部材を介在させ、遮音ボックスの壁と外側壁との間に遮音ボックスの音響を含む主として横方向の振動を吸収するための吸振部材を介在させている。
【先行技術文献】
【特許文献】
【０００４】
【特許文献１】特開２０１２−１９３１号公報
【発明の概要】
【発明が解決しようとする課題】
【０００５】
ところで、床の衝撃音は最も遮音が難しいものの一つである。ドンというような足音等の重量衝撃音は建物躯体へ伝播し易い特徴があるので、その足音等がほとんど聞こえないレベルである床衝撃音遮断性能Ｌｒ−３０以上の性能を出すことは極めて困難である。そのため、これらの理由によって、集合住宅の居室において、生ドラムを含むバンド演奏や激しい足音や振動・大声を発するダンスやスポーツを行うことは不可能とされてきた。特許文献１の上記防音室構造は、前述のように、床スラブの上面と遮音ボックスとの間にクッション材を介在させるだけであり、その防音性能の更なる向上が望まれるものである。
【０００６】
本発明は、バンド演奏、激しいダンス、スポーツなどを行うことを可能とする集合住宅の防音構造を提供することを目的としている。
【課題を解決するための手段】
【０００７】
本発明の一態様は、
それぞれコンクリート躯体である、第１の床と、第１の壁と、第１の天井とを備えて構成される第１の構造と
前記第１の構造内に構築される第２の構造であって、前記第１の床上に防振部材を介して打設される浮床コンクリートである第２の床と、前記第１の壁内に構築される第２の壁と、前記第１の天井下に構築される第２の天井とを有して構成される第２の構造と、
前記第２の構造内に構築される第３の構造であって、前記第２の床上に前記第２の壁から切り離して前記第２の壁との間に空間を設けて浮床状に構築される第３の床を有して構成され、該第３の床には制振装置が設けられている、第３の構造と
を備えた、
集合住宅の防音構造
を提供する。
【０００８】
好ましくは、前記第２の天井は、防振部材を介して前記第１の天井につながれている。また、前記第２の壁は、前記第１の壁から切り離され、かつ、前記第２の床と前記第２の天井との間に設置されているとよい。
【０００９】
好ましくは、記第２の床、前記第１の壁、前記第２の壁及び第２の天井により区画形成される空間と、前記第１の床と前記第２の床との間に区画形成される空間とをつなげるように、前記第２の床は、前記第１の壁との間に部分的に隙間を有する。
【００１０】
本発明は、全ての住戸が、前述の集合住宅の防音構造を備える、集合住宅にも存する。
【発明の効果】
【００１１】
本発明の上記一態様に係る集合住宅の防音構造によれば、上記構成を備えるので、バンド演奏、激しいダンス、スポーツなどを行うことが可能になる。
【図面の簡単な説明】
【００１２】
【図１】本発明の第１実施形態に係る集合住宅の防音構造の断面図である。
【図２】図１の集合住宅の防音構造における、第３の構造の第３の床と、第２の構造との関係を説明するための図である。
【図３】本発明の第２実施形態に係る集合住宅の防音構造の断面図である。
【図４】図３の集合住宅の防音構造における、第２の構造の第２の床の周囲の構造を説明するための図であり、（ａ）は第２の床の周囲の一隅を上側から見たところを示し、（ｂ）は（ａ）における隙間箇所での上下の空間のつながりを示す。
【発明を実施するための形態】
【００１３】
以下、本発明に係る実施形態について図面を参照して説明する。なお、以下の実施形態においては、集合住宅としていわゆるマンションの全ての住戸に本発明を適用した場合について説明するが、これらは例示であって、以下の内容に限定して適用することを意図するものではない。
【００１４】
はじめに、本発明の第１実施形態に係る集合住宅の防音構造Ｓ１について説明する。まず、本第１実施形態の集合住宅の防音構造Ｓ１の全体構成について説明する。集合住宅の防音構造Ｓ１は、図１に示すように、第１の構造１０と、第１の構造１０内に構築される第２の構造２０と、第２の構造２０内に構築される第３の構造３０とによって、全体的には三重構造とされている。
【００１５】
第１の構造１０は、それぞれコンクリート躯体である、第１の床１１と、第１の壁１２と、第１の天井１３とを備えて構成される。第１の床１１、第１の壁１２、第１の天井１３の各厚みは１８０ｍｍ以上とされることが好ましい。この他、第１の構造１０は、通常のコンクリート躯体構造であるから説明は省略する。なお、例えば、３階の住戸の第１の床１１は、２階の住戸の第１の天井１３に相当する。
【００１６】
第２の構造２０は、第１の床１１上に構築される防振構造の第２の床２１と、第１の壁１２内に構築される防振構造の第２の壁２２と、第１の天井１３下に構築される防振構造の第２の天井２３とを備えて構成される。
【００１７】
第２の床２１は、主として、第１の床１１上に防振部材としての防振ゴム２１ａを介して打設される浮床コンクリートとして構成されている。防振ゴム２１ａは複数設けられ、その数は想定積載荷重と防振ゴムの耐荷重によって決定され得る。防振ゴム２１ａは、それぞれ、高さ調整モルタル部材２１ｂの上に設けられ、第２の床２１を支持する。より詳しくは、防振ゴムが当接する根太２１ｃの上に、型枠としても機能するキーストンプレート２１ｄを載せ、周囲をグラスウールをボード状に加工したグラスウールボード２１ｅで囲い、コンクリート２１ｆが打設され、これにより第２の床２１が構成される。第２の床２１の厚みは１００ｍｍ以上とされることが好ましい。
【００１８】
本実施形態の第２の壁２２は、軽量鉄骨スタッド２２ａの間にグラスウールなどの吸音部材２２ｂを敷設して構成され、浮床コンクリートである第２の床２１上に設置されている。なお、第２の壁２２は、グラスウールなどの吸音部材を圧縮充填した軽量鉄骨角スタッドを含んで構成されてもよい。
【００１９】
本実施形態の第２の天井２３は、制振材が一体化された軽量鉄骨野縁２３ａの間にグラスウールなどの吸音部材２３ｂを敷設されて構成されている。第２の天井２３は、第２の壁２２に支持されるとともに、野縁受け端部ランナー２３ｃや絶縁スポンジゴムを介して第１の壁１２間に渡されている。第２の天井２３は、図１に示すように、第１の天井１３から切り離されているが、防振部材としの防振ゴム２３ｅが設けられたハンガー２３ｆを介して第１の天井１３につなげられている。
【００２０】
前述の第２の壁２２は、第１の壁１２から切り離されている。加えて、第２の壁２２は、第２の床２１と第２の天井２３との間に、特にそれらに挟まれるように設置されている。
【００２１】
更に、第２の壁２２及び第２の天井２３は、上記構成の更に内側に、外側から遮音部材２２ｐ、２３ｐ及び吸音部材２２ｑ、２３ｑを貼り合わせた構成を備える。遮音部材２２ｐ、２３ｐは、例えば複層張りした石膏ボードからなり、吸音部材２２ｑ、２３ｑは例えばグラスウールを含む部材からなる。これら遮音部材２２ｐ、２３ｐ及び吸音部材２２ｑ、２３ｑは、それぞれ、第２の壁２２及び第２の天井２３の内側にそれらの一部として設けられている。しかし、遮音部材２２ｐ、２３ｐ及び吸音部材２２ｑ、２３ｑは、第２の壁２２や第２の天井２３から離されて独立して構成されてもよい。図１及び図２に示すように、第２の壁２２には、最も内側に幅木２２ｒが設けられている。ここでは、幅木２２ｒは、後述する第３の床３１から離れていて、浮かし幅木とされている。
【００２２】
第３の構造３０は、第２の構造２０内に構築される。第３の構造３０は、第２の床２１上に浮床状に構築されるとともに第２の壁２２から切り離して構築される第３の床３１を有して構成されている。第３の床３１は、防振部材としてのゴム材３１ａここでは具体的にはクッションゴムを介して第２の床２１上に支持されている。ゴム材３１ａは複数あるとよく、その数は想定積載荷重と耐荷重によって決定され得る。なお、図２に示すように、ゴム材３１ａは、その上の支持材３１ｂ及び受け材３１ｃを介して第３の床３１を支持する。
【００２３】
第３の床３１は、構造材３１ｄと、その上の制振材３１ｅと、更にその上の床仕上げ材３１ｆとを有する。構造材３１ｄは合板であり、制振材３１ｅは特殊顆粒ゴム製又はアスファルト製であるとよい。制振材３１ｅの厚さは９ｍｍ以上が好ましい。第３の床３１には、制振装置としてダイナミックダンパー３１ｇが設けられている。ダイナミックダンパー３１ｇの数は幾つであってもよい。このダイナミックダンパー３１ｇは、第３の床３１の構造材３１ｄに取り付けられている。ダイナミックダンパー３１ｇは、浮床である第３の床３１の共振を防ぐために、歩行音や重量衝撃音の原因振動である３０〜７０Ｈｚに特に効果を発揮するとよい。そのために、構造材３１ｄの厚さは２０ｍｍ以上あるとよい。
【００２４】
上で述べたように、第２の壁２２の幅木２２ｒは、第３の床３１から離れていて、浮かし幅木とされている。そのため、図２に模式的に示すように、第３の床３１においては、床仕上げ材３１ｆの下から延出するように止水防虫部材つまりアングル３１ｈが設けられている。更に、そのアングル３１ｈと幅木２２ｒとの間からの虫等の居室内への進入を防ぐためにシール材２２ｓここでは具体的にはグラスファイバーテープが設けられている。なお、シール材２２ｓは、図２では明瞭にするべくアングル３１ｈから離れているが、アングル３１ｈを含む第３の床３１につながっているとよい。
【００２５】
上記構成の本第１実施形態の集合住宅の防音構造Ｓ１の作用及び効果について以下説明する。
【００２６】
集合住宅の防音構造Ｓ１は、第１の構造１０内に第２の構造２０を有し、第２の構造２０内に第３の構造３０を有する。第２の構造２０の第２の床２１は防振部材としての防振ゴム２１ａを介して実質的に浮床コンクリートとされている。また、第３の構造３０の第３の床３１は浮床状であり、制振装置としてのダイナミックダンパー３１ｇが設けられている。したがって、防振部材としての防振ゴム２１ａにより第２及び第３の床２１、３１の防振性能を高めるとともに、制振装置としてのダイナミックダンパー３１ｇで第３の床３１の制振性能を高めることを可能にしている。更に、第３の構造３０の第３の床３１を第２の構造２０の第２の壁２２から切り離して構築している。したがって、第３の床３１の制振性能を高めるとともに、第３の床３１の振動が第２の構造２０に伝播するのを十分に防ぐことが可能になり、防振性能を更に高めることが可能になる。このように、集合住宅の防音構造Ｓ１は、第１の構造１０内において、第２の床２１と第３の床３１との二重床構造と、第２の壁２２に対して第３の床３１を離す離隔構造とを採用し、優れた防振性能と制振性能とを発揮することができる。よって、集合住宅の防音構造Ｓ１は集合住宅の防音性能に極めて優れ、よってバンド演奏、激しいダンス、スポーツなどを行うことを可能とする。
【００２７】
更に、集合住宅の防音構造Ｓ１では、第３の構造３０の第３の床３１を防振部材としてのゴム材３１ａを介して浮床状にしている。したがって、更に、第２及び第３の床２１、３１の防振性能を高めることができ、よって集合住宅の防音性能を更に高めることが可能になる。
【００２８】
更に、上で述べたように、第２の床２１及び第３の床３１は防振部材としての防振ゴム２１ａを介して第１の床１１上に構築され、第３の床３１には制振装置としてのダイナミックダンバー３１ｇが設けられている。したがって、第３の床３１の防振性能及び制振性能を極めて高めることができる。よって、第３の床上の人間のつまり人体の足腰への負担も軽減することが可能になる。加えて、第３の床３１は防振部材としてのゴム材３１ａを介して第２の床２１上に構築されている。したがって、更に、防振性能を高めることができ、よって人体への足腰の負担をより軽減することが可能になる。
【００２９】
更に、第２の天井２３は、防振部材としの防振ゴム２３ｅが設けられたハンガー２３ｆを介して第１の天井１３につながり、ここでは特に吊り下げられている。そして、第２の壁２２は、第１の壁１２から切り離され、特に完全に切り離され、かつ、第２の床２１と第２の天井２３との間に設置されている。このように、第２の壁２２と躯体つまり第１の壁１２との間に橋絡材が無い離隔構造を、集合住宅の防音構造Ｓ１は採用している。したがって、居室つまり第２の構造２０内空間において最も空気伝播音を多く受ける、第２の壁の振動が第１の構造１０へ固体伝播することをより確実に防ぐことが可能になり、防音性能を更に高めることが可能になる。
【００３０】
更に、前述のように、幅木２２ｒは第３の床３１から離れていて、浮かし幅木とされていて、これにより、第３の床３１の周囲に空気抜き構造が構築されている。したがって、第３の床３１へのダンス等による衝撃による太鼓音現象の発生を好適に防ぐことが可能になる。よって、重量衝撃音の遮音性能を更に高めることができ、よって防音性能を更に高めることが可能になる。
【００３１】
更に第２の天井２３は、制振材が一体化された軽量鉄骨野縁２３ａにグラスウールなどの吸音部材２３ｂを敷設されて構成されている。したがって、その制振材によって、第２の天井２３から軽量鉄骨野縁２３ａへの振動を絶縁することができ、第２の天井２３の振動が軽量鉄骨下地に、特につまり軽量鉄骨スタッド２２ａに伝播することをよりしっかりと防ぐことができる。したがって、防音性能を更に高めることが可能になる。
【００３２】
次に、本発明に係る第２実施形態の集合住宅の防音構造Ｓ２について説明する。以下では、第２実施形態の集合住宅の防音構造Ｓ２における、第１実施形態の上記集合住宅の防音構造Ｓ１との相違点についてのみ説明し、その他の説明を省略する。なお、以下に説明する構成以外の点では、第２実施形態の集合住宅の防音構造Ｓ２は、第１実施形態の上記集合住宅の防音構造Ｓ１の構成を同様に備える。
【００３３】
図３に示す第２実施形態の集合住宅の防音構造Ｓ２では、第２の床２１の周囲のグラスウールボード２１ｅが部分的に取り除かれている。図３は、グラスウールボード２１ｅが取り除かれた箇所での断面を示す。第２の床２１の周囲のグラスウールボード２１ｅは、第２の床２１の打設後、部分的に取り除かれる。ここでは、４隅のグラスウールボード２１ｅ以外のグラスウールボード２１ｅが除かれる。
【００３４】
図４（ａ）に、第２の床２１の周囲の一隅２１ｋを上側から見たところの模式図を示す。図４（ａ）に示すように、第２の床２１のコンクリート打設のために型枠とされたグラスウールボード２１ｅは、隅の幾つかのグラスウールボード２１ｅを除いて、取り除かれる。したがって、第２の床２１は、第１の壁１２との間に部分的に隙間Ｃを有する。よって、図４（ｂ）に矢印Ａで示すように、第２の床２１、第１の壁１２、第２の壁２２及び第２の天井２３により区画形成される周空間ＳＰ１と、第１の床１１と第２の床２１との間に区画形成される下空間ＳＰ２とはつなげられる。なお、図４（ｂ）では、取り除かれたグラスウールボード２１ｅを破線で示す。
【００３５】
したがって、防音室である居室つまり第２の構造２０内からその背面空気層へ漏れた音響エネルギー又は振動エネルギーは、第２の構造２０外の空間ＳＰ１、ＳＰ２つまり背面空気層を自由に対流することができる。よって、その減衰が生じ易くなる。したがって、第２実施形態の集合住宅の防音構造Ｓ２によれば、上記第１実施形態の集合住宅の防音構造Ｓ１の効果に加えて、防音性能を更に高めることが可能になる。
【００３６】
以上、図面を参照して、本発明の実施形態及びその変形例を詳述してきたが、具体的な構成は、この実施形態に限らず、本発明の要旨を逸脱しない程度の設計的変更は、本発明に含まれる。
【符号の説明】
【００３７】
Ｓ１、Ｓ２  集合住宅の防音構造
ＳＰ１  周空間
ＳＰ２  下空間
１０  第１の構造
１１  第１の床
１２  第１の壁
１３  第１の天井
２０  第２の構造
２１  第２の床
２１ａ  防振ゴム
２１ｂ  高さ調整モルタル部材
２１ｃ  根太
２１ｄ  キーストンプレート
２１ｅ  グラスウールボード
２１ｆ  コンクリート
２２  第２の壁
２２ａ  軽量鉄骨スタッド
２２ｂ  吸音部材
２２ｐ  遮音部材
２２ｑ  吸音部材
２２ｒ  幅木
２２ｓ  シール材
２３  第２の天井
２３ａ  軽量鉄骨野縁
２３ｂ  吸音部材
２３ｃ  野縁受け端部ランナー
２３ｐ  遮音部材
２３ｑ  吸音部材
３０  第３の構造
３１  第３の床
３１ａ  ゴム材
３１ｂ  支持材
３１ｃ  受け材
３１ｄ  構造材
３１ｅ  制振材
３１ｆ  床仕上げ材
３１ｇ  ダイナミックダンパー
３１ｈ  アングル
【要約】
【課題】バンド演奏、激しいダンス、スポーツなどを行うことを可能とする集合住宅の防音構造を提供する。
【解決手段】本発明の一実施形態の集合住宅の防音構造Ｓ１は、それぞれコンクリート躯体である、第１の床１１と、第１の壁１２と、第１の天井１３とから構成される第１の構造１０と、前記第１の構造内に構築される第２の構造２０であって、前記第１の床上に防振部材を介して打設される浮床コンクリートである第２の床２１と、前記第１の壁内に構築される第２の壁２２と、前記第１の天井下に構築される第２の天井２３とを有して構成される第２の構造と、前記第２の構造内に構築される第３の構造３０であって、前記第２の床上に前記第２の壁から切り離して浮床状に構築される第３の床３１を有して構成され、該第３の床３１には制振装置としてダイナミックダンパー３１ｇが設けられている、第３の構造とを備える。
【選択図】図１【図１】
0006737479.tif 000002
【図２】
0006737479.tif 000003
【図３】
0006737479.tif 000004
【図４】
0006737479.tif 000005